(57)【要約】【課題】ヘッドアクチュエータに容易に、かつ、確実に接続可能なフレキシブルプリント回路基板ユニット、ヘッドアクチュエータユニット、およびこれを備えたディスク装置を提供する。【解決手段】ＦＰＣ１７は、電子部品が実装されたベース部４０と、ベース部から延出したメインＦＰＣ４２とを有し、メインＦＰＣは、ヘッドアクチュエータにねじ止めされる接続端部４２ａを有している。接続端部の一方の表面には複数の接続パッドが設けられ、他方の表面には補強板５０が固定されている。接続端部および補強板には、ねじ止め用のねじを挿通する透孔５８が形成されている。補強板は、ヘッドアクチュエータと係合可能に形成されヘッドアクチュエータに対するねじ止め位置へ接続端部をガイドするとともに透孔の回りでの接続端部の回動を規定する位置決め突起５６ａ、５６ｂを備えている。【選択図】　　図４
2004039674.tif 000002
【特許請求の範囲】
【請求項１】
ヘッドを支持したヘッドアクチュエータに接続されるフレキシブルプリント回路基板ユニットにおいて、
電子部品が実装されたベース部と、
ベース部から延出しているとともに、上記ヘッドアクチュエータにねじ止めされる接続端部を有したメインフレキシブルプリント回路基板と、
上記接続端部の一方の表面に設けられた複数の接続パッドと、
上記接続端部の他方の表面に固定された補強板と、を備え、
上記接続端部および補強板は、上記ヘッドアクチュエータにねじ止めするための固定ねじが挿通される透孔を有し、
上記補強板は、上記ヘッドアクチュエータと係合可能に形成されヘッドアクチュエータに対するねじ止め位置へ上記接続端部をガイドするとともに上記透孔の回りでの上記接続端部の回動を規定する位置決め突起を備えていることを特徴とするフレキシブルプリント回路基板ユニット。
【請求項２】
上記補強板は、並んで設けられた複数の上記位置決め突起を備えていることを特徴とする請求項１に記載のフレキシブルプリント回路基板ユニット。
【請求項３】
上記接続端部から離間して上記メインフレキシブルプリント回路基板に取り付けられているとともに上記補強板と係合可能な係合部材を備え、上記メインフレキシブルプリント回路基板は、上記接続端部と係合部材との間で折り返され、上記係合部材は上記補強板に係合し接続端部と対向していることを特徴とする請求項１または２に記載のフレキシブルプリント回路基板ユニット。
【請求項４】
ヘッドを支持したヘッドアクチュエータと、このヘッドアクチュエータに接続されたフレキシブルプリント回路基板ユニットとを備えたヘッドアクチュエータアッセンブリにおいて、
上記ヘッドアクチュエータは、軸受部と、それぞれ上記軸受部に取付けられた基端部を有し、上記軸受部から延出した複数のアームと、各アームの延出端から延びたサスペンションと、各サスペンションの延出端に搭載された磁気ヘッドと、それぞれ上記アームおよびサスペンション上に取り付けられ、ヘッドに電気的に接続された一端部と上記アームの基端部側に位置した接続部とを有した中継フレキシブルプリント回路基板と、を備え、
上記フレキシブルプリント回路基板ユニットは、電子部品が実装されたベース部と、ベース部から延出しているとともに、上記ヘッドアクチュエータにねじ止めされた接続端部を有したメインフレキシブルプリント回路基板と、上記接続端部の一方の表面に設けられているとともに上記中継フレキシブルプリント回路基板の接続部が接続された複数の接続パッドと、上記接続端部の他方の表面に固定された補強板と、を備え、
上記接続端部および補強板は、上記ねじ止めのための固定ねじが挿通された透孔を有し、上記補強板は、上記ヘッドアクチュエータと係合しヘッドアクチュエータに対するねじ止め位置へ上記接続端部をガイドするとともに上記透孔の回りでの上記接続端部の回動を規定した位置決め突起を備えていることを特徴とするヘッドアクチュエータアッセンブリ。
【請求項５】
上記補強板は、並んで設けられた複数の上記位置決め突起を備え、上記位置決め突起は、隣合う２本のアーム間に係合している特徴とする請求項４に記載のヘッドアクチュエータアッセンブリ。
【請求項６】
上記接続端部から離間して上記メインフレキシブルプリント回路基板に取り付けられているとともに上記補強板と係合可能な係合部材を備え、上記メインフレキシブルプリント回路基板は、上記接続端部と係合部材との間で折り返され、上記係合部材は上記補強板に係合し接続端部と対向していることを特徴とする請求項４または５に記載のヘッドアクチュエータアッセンブリ。
【請求項７】
ディスクと、
上記ディスクを支持および回転駆動する駆動部と、
上記ディスクに対して情報の記録再生を行うヘッドと、
上記ヘッドを上記ディスクに対して移動自在に支持しているとともにディスクに対して任意の位置に位置決めするヘッドアクチュエータと、
このヘッドアクチュエータに接続されたフレキシブルプリント回路基板ユニットと、を備え、
上記ヘッドアクチュエータは、軸受部と、それぞれ上記軸受部に取付けられた基端部を有し、上記軸受部から延出した複数のアームと、各アームの延出端から延びたサスペンションと、各サスペンションの延出端に搭載された磁気ヘッドと、それぞれ上記アームおよびサスペンション上に取り付けられ、ヘッドに電気的に接続された一端部と上記アームの基端部側に位置した接続部とを有した中継フレキシブルプリント回路基板と、を備え、
上記フレキシブルプリント回路基板ユニットは、電子部品が実装されたベース部と、ベース部から延出しているとともに、上記ヘッドアクチュエータにねじ止めされた接続端部を有したメインフレキシブルプリント回路基板と、上記接続端部の一方の表面に設けられているとともに上記中継フレキシブルプリント回路基板の接続部が接続された複数の接続パッドと、上記接続端部の他方の表面に固定された補強板と、を備え、
上記接続端部および補強板は、上記ねじ止めのための固定ねじが挿通された透孔を有し、上記補強板は、上記ヘッドアクチュエータと係合可能に形成されヘッドアクチュエータに対するねじ止め位置へ上記接続端部をガイドするとともに上記透孔の回りでの上記接続端部の回動を規定した位置決め突起を備えていることを特徴とするディスク装置。
【請求項８】
上記補強板は、並んで設けられた複数の上記位置決め突起を備え、上記位置決め突起は、隣合う２本のアーム間に係合している特徴とする請求項７に記載のディスク装置。
【請求項９】
上記接続端部から離間して上記メインフレキシブルプリント回路基板に取り付けられているとともに上記補強板と係合可能な係合部材を備え、上記メインフレキシブルプリント回路基板は、上記接続端部と係合部材との間で折り返され、上記係合部材は上記補強板に係合し接続端部と対向していることを特徴とする請求項７または８に記載のディスク装置。
【発明の詳細な説明】
【０００１】
【発明の属する技術分野】
この発明は、ディスク装置に用いられるフレキシブルプリント回路基板ユニット、ヘッドアクチュエータユニット、およびこれを備えたディスク装置に関する。
【０００２】
【従来の技術】
ディスク装置として、例えば、磁気ディスク装置は、一般に、ケース内に配設された磁気ディスク、磁気ディスクを支持および回転駆動するスピンドルモータ、磁気ヘッドを支持したヘッドアクチュエータ、ヘッドアクチュエータを駆動するボイスコイルモータ、フレキシブルプリント回路基板ユニット（以下、ＦＰＣユニットと称する）等を備えて構成されている。
【０００３】
ヘッドアクチュエータは、ケースに取り付けられた軸受部と、軸受部に積層され軸受部から延出した複数のアームと、を備え、各アームには、サスペンションを介して磁気ヘッドが取り付けられている。ＦＰＣユニットは、ヘッドＩＣ、コネクタ等が実装されたベース部と、このベース部から軸受部近傍まで延出したメインフレキシブルプリント回路基板（以下メインＦＰＣと称する）とを一体に備えて形成されている。メインＦＰＣの延出端部は接続部を構成し、この接続部には複数の接続パッドが設けられているとともに、ねじを通す透孔が設けられている。そして、この接続部は、透孔を通してヘッドアクチュエータの軸上部にねじ止めされている。
【０００４】
また、ヘッドアクチュエータの各アームおよびサスペンション上には中継フレキシブルプリント回路基板（以下中継ＦＰＣと称する）が固定され、その一端は磁気ヘッドに接続され、他端はメインＦＰＣの接続部に接続されている。各中継ＦＰＣの他端には複数の接続パッドが設けられ、これらの接続パッドをメインＦＰＣの接続部側に設けられた接続パッドとハンダ付けすることにより、中継ＦＰＣとメインＦＰＣとが電気的かつ機械的に接続されている。これにより、サスペンション上に支持された各磁気ヘッドは、中継ＦＰＣおよびメインＦＰＣを介してＦＰＣユニットに電気的に接続されている。
【０００５】
そして、このような磁気ディスク装置では、磁気ディスクが回転した状態で、ヘッドアクチュエータにより磁気ヘッドを磁気ディスク上の任意の半径位置、つまり、任意のトラック上に移動および位置決めし、磁気ヘッドにより磁気ディスクに対する情報の読取および書き込みを行う。
【０００６】
【発明が解決しようとする課題】
上記のように構成されたヘッドアクチュエータおよびＦＰＣユニットにおいて、メインＦＰＣの接続部はヘッドアクチュエータの軸受部にねじ止め固定されているが、このねじ止めの際、ねじの締め付け力によりメインＦＰＣの接続部が回動し、所定の位置からずれてしまう場合がある。この場合、メインＦＰＣの接続部に設けられた接続パッドの位置と、各中継ＦＰＣの接続部に設けられた接続パッドの位置とが一致せず、これらの接続作業が困難となる。
【０００７】
また、メインＦＰＣの接続部をヘッドアクチュエータの軸受部にねじ止めする際、ヘッドアクチュエータに対してメインＦＰＣの接続部を所定位置に位置決めし、接続部の透孔をヘッドアクチュエータ側のねじ孔に合わせる必要があるが、この位置合わせが面倒で作業に熟練と時間を要する。従って、製造効率が低下する。
【０００８】
この発明は以上の点に鑑みなされたもので、その目的は、ヘッドアクチュエータに対する接続作業を容易に、かつ、確実に行うことが可能なフレキシブルプリント回路基板ユニット、ヘッドアクチュエータユニット、およびこれを備えたディスク装置を提供することにある。
【０００９】
【課題を解決するための手段】
上記目的を達成するため、この発明の態様に係るフレキシブルプリント回路基板ユニットは、電子部品が実装されたベース部と、ベース部から延出しているとともに、ヘッドを支持したヘッドアクチュエータにねじ止めされる接続端部を有したメインフレキシブルプリント回路基板と、上記接続端部の一方の表面に設けられた複数の接続パッドと、上記接続端部の他方の表面に固定された補強板と、を備え、
上記接続端部および補強板は、上記ヘッドアクチュエータにねじ止めするための固定ねじが挿通される透孔を有し、上記補強板は、上記ヘッドアクチュエータと係合可能に形成されヘッドアクチュエータに対するねじ止め位置へ上記接続端部をガイドするとともに上記透孔の回りでの上記接続端部の回動を規定する位置決め突起を備えている。
【００１０】
また、この発明の態様に係るヘッドアクチュエータアッセンブリは、ヘッドを支持したヘッドアクチュエータと、このヘッドアクチュエータに接続されたフレキシブルプリント回路基板ユニットとを備え、
上記ヘッドアクチュエータは、軸受部と、それぞれ上記軸受部に取付けられた基端部を有し、上記軸受部から延出した複数のアームと、各アームの延出端から延びたサスペンションと、各サスペンションの延出端に搭載された磁気ヘッドと、それぞれ上記アームおよびサスペンション上に取り付けられ、ヘッドに電気的に接続された一端部と上記アームの基端部側に位置した接続部とを有した中継フレキシブルプリント回路基板と、を備え、
上記フレキシブルプリント回路基板ユニットは、電子部品が実装されたベース部と、ベース部から延出しているとともに、上記ヘッドアクチュエータにねじ止めされた接続端部を有したメインフレキシブルプリント回路基板と、上記接続端部の一方の表面に設けられているとともに上記中継フレキシブルプリント回路基板の接続部が接続された複数の接続パッドと、上記接続端部の他方の表面に固定された補強板と、を備え、
上記接続端部および補強板は、上記ねじ止めのための固定ねじが挿通された透孔を有し、上記補強板は、上記ヘッドアクチュエータと係合可能に形成されヘッドアクチュエータに対するねじ止め位置へ上記接続端部をガイドするとともに上記透孔の回りでの上記接続端部の回動を規定した位置決め突起を備えている。
【００１１】
上記のように構成されたフレキシブルプリント回路基板ユニット、およびヘッドアクチュエータアッセンブリによれば、メインフレキシブル回路基板の接続端部をヘッドアクチュエータにねじ止めする際、補強板に設けられた位置決め突起をヘッドアクチュエータに係合させ、接続端部を所定のねじ止め位置まで導くガイドとして使用することができる。同時に、ねじを締めこむ際、ヘッドアクチュエータと係合した位置決め突起により、接続端部の回動を規制し、接続端部の位置ずれを防止することができる。
【００１２】
これにより、ヘッドアクチュエータに対してメインフレキシブルプリント回路基板の接続端部を容易に、かつ、確実に位置決めしねじ止めすることができる。従って、組立て作業の効率向上を図ることができる。また、メインフレキシブルプリント回路基板の接続端部の位置ずれを防止することにより、この接続端部に対し、ヘッドアクチュエータ側の中継フレキシブルプリント回路基板の接続部を容易にかつ確実に接続することが可能となる。
【００１３】
また、この発明の態様に係るディスク装置は、ディスクと、上記ディスクを支持および回転駆動する駆動部と、上記ディスクに対して情報の記録再生を行うヘッドと、上記ヘッドを上記ディスクに対して移動自在に支持しているとともにディスクに対して任意の位置に位置決めするヘッドアクチュエータと、このヘッドアクチュエータに接続されたフレキシブルプリント回路基板ユニットと、を備えている。
【００１４】
上記ヘッドアクチュエータは、軸受部と、それぞれ上記軸受部に取付けられた基端部を有し、上記軸受部から延出した複数のアームと、各アームの延出端から延びたサスペンションと、各サスペンションの延出端に搭載された磁気ヘッドと、それぞれ上記アームおよびサスペンション上に取り付けられ、ヘッドに電気的に接続された一端部と上記アームの基端部側に位置した接続部とを有した中継フレキシブルプリント回路基板と、を備え、
上記フレキシブルプリント回路基板ユニットは、電子部品が実装されたベース部と、ベース部から延出しているとともに、上記ヘッドアクチュエータにねじ止めされた接続端部を有したメインフレキシブルプリント回路基板と、上記接続端部の一方の表面に設けられているとともに上記各中継フレキシブルプリント回路基板の接続部が接続された複数の接続パッドと、上記接続端部の他方の表面に固定された補強板と、を備え、
上記接続端部および補強板には、上記ねじ止めのための固定ねじが挿通された透孔を有し、上記補強板は、上記ヘッドアクチュエータと係合可能に形成されヘッドアクチュエータに対するねじ止め位置へ上記接続端部をガイドするとともに上記透孔の回りでの上記接続端部の回動を規定した位置決め突起を備えていることを特徴としている。
【００１５】
このように構成されたディスク装置においても、ヘッドアクチュエータに対してメインフレキシブルプリント回路基板の接続端部を容易に、かつ、確実に位置決めしねじ止めすることができ、組立て作業の効率向上を図ることができる。
【００１６】
【発明の実施の形態】
以下図面を参照しながら、この発明をディスク装置としてのハードディスクドライブ（以下ＨＤＤと称する）に適用した実施の形態について詳細に説明する。
【００１７】
図１に示すように、ＨＤＤは、上面の開口した矩形箱状のケース１０と、複数のねじによりケースにねじ止めされてケースの上端開口を閉塞する図示しないトップカバーと、を有している。
【００１８】
ケース１０内には、記録媒体としての２枚の磁気ディスク１２ａ、１２ｂ、これらの磁気ディスクを支持および回転させるスピンドルモータ１３、磁気ディスクに対して情報の記録、再生を行なう複数の磁気ヘッド、これらの磁気ヘッドを磁気ディスク１２ａ、１２ｂに対して移動自在に支持したヘッドアクチュエータ１４、ヘッドアクチュエータを回動および位置決めするボイスコイルモータ（以下ＶＣＭと称する）１６、磁気ヘッドが磁気ディスクの最外周に移動した際、磁気ヘッドを磁気ディスクから離間した位置に保持するランプロード機構１８、ＨＤＤに衝撃等が作用した際、ヘッドクチュエータを退避位置に保持するイナーシャラッチ機構２０、およびプリアンプ等の電子部品が実装されたフレキシブルプリント回路基板ユニット（以下、ＦＰＣユニットと称する）１７が収納されている。
【００１９】
また、ケース１０の外面には、ＦＰＣユニット１７を介してスピンドルモータ１３、ＶＣＭ１６、および磁気ヘッドの動作を制御する図示しないプリント回路基板がねじ止めされ、ケースの底壁と対向して位置している。
【００２０】
各磁気ディスク１２ａ、１２ｂは、例えば、直径６５ｍｍ（２．５インチ）に形成され、上面および下面に磁気記録層を有している。２枚の磁気ディスク１２ａ、１２ｂは、スピンドルモータ１３の図示しないハブに互いに同軸的に嵌合されているとともにクランプばね２１によりクランプされ、ハブの軸方向に所定の間隔をおいて積層されている。そして、磁気ディスク１２ａ、１２ｂは、駆動部としてのスピンドルモータ１３により所定の速度で回転駆動される。
【００２１】
図１ないし図３に示すように、ヘッドアクチュエータ１４は、ケース１０の底壁上に固定された軸受組立体２４を備えている。軸受部として機能する軸受組立体２４は、ケース１０の底壁に立設された枢軸２３と、枢軸に一対の軸受を介して回転自在に支持された円筒形状のハブ２６と、を有している。ハブ２６の上端には環状のフランジ２９が形成され、下端部外周にはねじ部２６ｂが形成されている。
【００２２】
また、ヘッドアクチュエータ１４は、ハブ２６に取り付けられた４本のアーム２７ａ、２７ｂ、２７ｃ、２７ｄ、それぞれのアームから延出した４本のサスペンション３２、サスペンションの延出端に支持された磁気ヘッド３３、および３つのスペーサリング２８ａ、２８ｂ、２８ｃを備えている。
【００２３】
アーム２６ａないし２６ｄの各々は、例えば、ＳＵＳ３０４等のステンレス系の材料により、板厚２５０μｍ程度の薄い平板状に形成され、その一端、つまり、基端には円形の透孔３１が形成されている。また、各アーム２６ａないし２６ｄは、その基端から突出した突部を有し、この突部には位置決め孔３５が形成されている。
【００２４】
各サスペンション３２は、板厚６０〜７０μｍの細長い板ばねにより構成され、その基端がスポット溶接あるいは接着によりアーム２７ａないし２７ｄの先端に固定され、アームから延出している。なお、サスペンションおよびアームは、同一材料で一体に形成してもよい。
【００２５】
各磁気ヘッド３３は、図示しないほぼ矩形状のスライダとこのスライダに形成された記録再生用のＭＲ（磁気抵抗）ヘッドとを有し、サスペンション３２の先端部に形成されたジンバル部に固定されている。また、各磁気ヘッド３３は、図示しない４つの電極を有している。
【００２６】
一方、図２に示すように、ヘッドアクチュエータ１４の各磁気ヘッド３３は、それぞれ中継フレキシブルプリント回路基板（以下、中継ＦＰＣと称する）６２を介して後述するメインＦＰＣ４２に電気的に接続されている。中継ＦＰＣ６２は、ヘッドアクチュエータ１４の各アームおよびサスペンション３２の表面に貼り付け固定され、サスペンションの先端からアームの回動基端に亘って延びている。中継ＦＰＣ６２は、全体として細長い帯状に形成され、その先端は磁気ヘッド３３に電気的に接続されているとともに、その基端部はアームの基端から外側に延出し、複数の接続パッドを有した接続部６４を構成している。
【００２７】
図２および図３に示すように、磁気ヘッド３３、サスペンション３２、および中継ＦＰＣ６２が取り付けられた４本のアーム２７ａ、２７ｂ、２７ｃ、２７ｄは、透孔３１にハブ２６を挿通することにより、ハブ２６の軸方向に沿ってフランジ２９上に積層された状態でハブの外周に嵌合されている。また、スペーサリング２８ａは、アーム２７ａ、２７ｂ間、スペーサリング２８ｂは、アーム２７ｃ、２７ｄ間、スペーサリング２８ｃは、後述するナット３７とアーム２７ｄとの間にそれぞれ挟まれた状態でハブ２６の外周に嵌合されている。なお、スペーサリング２８ａないし２８ｃの各々は外側に突部を有し、この突部に位置決め孔３９が形成されている。
【００２８】
ハブ２６の外周に嵌合された４本のアーム２７ａないし２７ｄ、およびスペーサリング２８ａ、２８ｂ、２８ｃは、ハブ２６のねじ部２６ｂに螺合されたナット３７とフランジ２９との間に挟持され、ハブ２６の外周上に固定保持されている。また、アーム２７ａないし２７ｄに設けられた位置決め孔３５、およびスペーサリング２８ａないし２８ｃに設けられた位置決め孔３９には、上方から位置決め用のねじ４１が挿通され、最下端のスペーサリング２８ｃの位置決め孔にねじ込まれている。これにより、アーム２７ａないし２７ｄ、およびスペーサリング２８ａないし２８ｃは、ハブ２６の円周方向に対して、互いに所定位置に位置決めされている。そして、４本のアーム２７ａないし２７ｄはハブ２６から同一の方向へ延出し、これらのアームおよびサスペンション３２は、ハブ２６と一体的に回動可能となっている。
【００２９】
アーム２７ａおよび２７ｂは所定の間隔を置いて互いに平行に位置し、これらのアームに取り付けられたサスペンション３２および磁気ヘッド３３は互いに向かい合って位置している。また、アーム２７ｃおよび２７ｄは所定の間隔を置いて互いに平行に位置し、これらのアームに取り付けられたサスペンション３２および磁気ヘッド３３は互いに向かい合って位置している。
【００３０】
また、図１ないし図３に示すように、スペーサリング２８ｂは、アーム２７ａないし２７ｄと反対方向へ延出した支持フレーム３４を有し、合成樹脂等によって一体に整形されている。支持フレーム３４には、ＶＣＭ１６の一部を構成するボイスコイル３６が埋め込まれている。支持フレーム３４からはピン状の２本の端子４３が突出し、これらの端子は、支持フレーム３４内に埋め込まれた図示しない配線を介してボイスコイル３６に電気的に接続されている。
【００３１】
更に、スペーサリング２８ｂは、図２に示すように、アーム２７ｃ、２７ｄの一側縁とほぼ面一となる位置まで突出した突出部７０を一体に備え、この突出部には、後述するメインＦＰＣの接続端部４２ａをねじ止めするためのねじ孔７２が形成されている。
【００３２】
図１からよくわかるように、上記のように構成されたヘッドアクチュエータ１４をケース１０に組み込んだ状態において、磁気ディスク１２ａはアーム２７ａ、２７ｂ間に位置し、また、磁気ディスク１２ｂはアーム２７ｃ、２７ｄ間に位置する。
【００３３】
そして、ＨＤＤの動作時、アーム２７ａ、２７ｂに取り付けられた磁気ヘッド３３は、磁気ディスク１２ａの上面および下面にそれぞれ対向し、磁気ディスク１２ａを両面側から挟持する。同様に、アーム２７ｃ、２７ｄに取り付けられた磁気ヘッド３３は、磁気ディスク１２ｂの上面および下面にそれぞれ対向し、磁気ディスク１２ｂを両面側から挟持する。
【００３４】
また、ヘッドアクチュエータ１４をケース１０に組み込んだ状態において、支持フレーム３４に固定されたボイスコイル３６は、ケース１０上に固定された一対のヨーク３８間に位置し、これらのヨークおよび一方のヨークに固定された図示しない磁石とともにＶＣＭ１６を構成している。そして、ボイスコイル３６に通電することにより、ヘッドアクチュエータ１４が回動し、磁気ヘッド３３は磁気ディスク１２ａ、１２ｂの所望のトラック上に移動および位置決めされる。
【００３５】
図１および図４に示すように、ＦＰＣユニット１７は、フレキシブルプリント回路基板をほぼ矩形状に折り曲げて形成されたベース部４０と、ベース部から延出した細長い帯状のメインフレキシブルプリント回路基板（以下、メインＦＰＣと称する）４２と、を有し、共通のフレキシブルプリント回路基板により一体的に形成されている。
【００３６】
ベース部４０には、ヘッドアンプ、コネクタ等の複数の電子部品４４が実装されている。このベース部４０は、ケース１０の底壁上に固定されている。ベース部４０から延出したメインＦＰＣ４２の延出端部は接続端部４２ａを構成している。図２に示すように、接続端部４２ａの一方の表面には多数の接続パッド４５が形成され、各接続パッドはメインＦＰＣ４２の図示しない導体配線を通してベース部４０側に電気的に接続されている。
【００３７】
また、図４ないし図７に示すように、接続端部４２ａの他方の表面には、ほぼ矩形板状の補強板５０が固定されている。補強板５０は、その一方の表面から突出した複数の係合突起５２を有し、これらの係合突起５２をメインＦＰＣ４２の接続端部４２ａと係合させることにより、この接続端部４２ａと密着した状態で固定されている。
【００３８】
補強板５０の他方の表面には、突起からなるストッパ５４が突設されているとともに、例えば２つの位置決め突起５６ａ、５６ｂが突設されている。また、補強板５０の先端部およびメインＦＰＣ４２の接続端部４２ａには、これらを貫通して延びた透孔５８が形成されている。更に、補強板５０の後端側の両側縁部には、それぞれ係合凹所６０が形成されている。そして、このような補強板５０は、例えば合成樹脂により一体に成形されている。
【００３９】
メインＦＰＣ４２の延出端部において接続端部４２ａから所定距離だけ離れた位置には、ループプレート６６が取り付けられている。係合部材として機能するループプレート６６は一対のフック６７を有し、これらのフックは、メインＦＰＣ４２の両側縁からメインＦＰＣの表面とほぼ垂直な方向へ突出している。
【００４０】
上記のように構成されたＦＰＣユニット１７をヘッドアクチュエータ１４に接続する場合、図２、図３、図６ないし図８に示すように、メインＦＰＣ４２の接続端部４２ａに固定された補強板５０を、ヘッドアクチュエータの基端部側の側面に対向させ、位置決め突起５６ａ、５６ｂをアーム２７ａ、２７ｂの基端部間に係合させる。そして、これらの位置決め突起５６ａ、５６ｂをガイドとして、ストッパ５４がスペーサリング２８ｂの突出部７０の一端に当接するまで、補強板５０をヘッドアクチュエータ１４の基端側から先端側に向かってスライドさせる。これにより、補強板５０は、回動することなくアーム２７ａ、２７ｂに沿って直線的に移動し、所定の取り付け位置に位置決めされる。この取り付け位置において、接続端部４２ａおよび補強板５０に形成されている透孔５８がスペーサリング２８ｂに形成されたねじ孔７２と正確に整列する。
【００４１】
この状態で、固定ねじ７４を、接続端部４２ａおよび補強板５０の透孔５８を通してスペーサリング２８ｂのねじ孔７２にねじ込み、接続端部４２ａおよび補強板５０をヘッドアクチュエータ１４の基端部にねじ止めする。この際、固定ねじ７４を締め込むと、接続端部４２ａおよび補強板５０には透孔５８を中心とした回転方向の力が作用する。しかしながら、補強板５０の位置決め突起５６ａ、５６ｂがアーム２７ｃ、２７ｄ間に係合していることから、これらの位置決め突起により接続端部および補強板の回動が規制される。従って、接続端部４２ａおよび補強板５０は、回動して位置ずれすることなく、所定の接続位置に正確に固定される。同時に、接続端部４２ａおよび補強板５０の位置ずれを問題とすることなく固定ねじ７４を充分に締め込むことができ、一層確実な固定が可能となる。
【００４２】
接続端部４２ａおよび補強板５０をヘッドアクチュエータ１４に固定した後、図３および図６に示すように、アーム２７ａないし２７ｂから延出している中継ＦＰＣ６２の接続部６４をメインＦＰＣ４２の接続端部４２ａ上に位置決め配置し、各接続部６４の接続パッドを接続端部４２ａ側の対応する接続パッドにハンダ付けする。これにより、メインＦＰＣ４２と４つの中継ＦＰＣ６２とが電気的かつ機械的に接続される。言い換えると、ヘッドアクチュエータ１４とＦＰＣユニット１７とが電気的かつ機械的に接続され、ヘッドアクチュエータユニットが形成される。
【００４３】
続いて、ヘッドアクチュエータ１４およびＦＰＣユニット１７の各種検査を行った後、補強板５０とループプレート６６との間でメインＦＰＣ４２を折り返し、補強板とスーププレートとを重ね合わせた状態とする。そして、図１に示すように、ループプレート６６の一対のフック６７をそれぞれ補強板５０の係合凹所６０に係合させ、メインＦＰＣ４２の先端部分を折り返した状態に保持する。
【００４４】
なお、メインＦＰＣ４２を折り返してループプレート６６のフック６７を補強板５０の係合凹所６０に係合させる際、固定ねじ７４を中心とする回転方向の力が補強板およびメインＦＰＣの接続端部４２ａに作用する恐れがあるが、この場合でも、補強板５０の位置決め突起５６ａ、５６ｂによって補強板および接続端部の回動および位置ずれが防止される。従って、接続端部４２ａの位置ずれに起因して中継ＦＰＣ６２の接続部６４とメインＦＰＣとが断線してしまう恐れがなく、信頼性の向上を図ることができる。
【００４５】
このようにして組立てられたヘッドアクチュエータユニットはＨＤＤのケース１０内に配置され、ヘッドアクチュエータ１４の軸受組立体２４がケースの底壁上に固定される。また、ＦＰＣユニット１７のベース部４０はケース１０の底壁上にねじ止め固定される。
【００４６】
以上のように構成されたＨＤＤによれば、ＦＰＣユニット１７の接続端部４２ａをヘッドアクチュエータ１４にねじ止めする際、補強板５０に設けられた位置決め突起５６ａ、５６ｂをヘッドアクチュエータに係合させ、接続端部を所定のねじ止め位置まで導くガイドとして使用することができる。同時に、固定ねじ７８を締め込む際、ヘッドアクチュエータ１４と係合した位置決め突起５６ａ、５６ｂにより、接続端部４２ａの回動を規制し、接続端部の位置ずれを防止することができる。
【００４７】
これにより、ヘッドアクチュエータ１４に対してＦＰＣユニット１７の接続端部４２ａを容易に、かつ、確実に位置決めしねじ止めすることができる。従って、組立て作業の効率向上を図ることができる。また、ＦＰＣユニット１７の接続端部４２ａの位置ずれを防止することにより、この接続端部に対し、中継ＦＰＣ６２の接続部６４を容易にかつ確実に接続することが可能となる。
【００４８】
なお、この発明は上述した実施の形態に限定されることなく、この発明の範囲内で種々変形可能である。例えば、上述した実施の形態では、補強板５０は２つの位置決め突起を備えた構成としたが、補強板は少なくとも１つの位置決め突起を備えていれば上述した実施の形態と同様の作用効果を得ることができ、位置決め突起の数は必要に応じて増減可能である。また、この発明は、ＨＤＤに限らず、光磁気ディスク装置等の他のディスク装置にも適用可能である。
【００４９】
【発明の効果】
以上詳述したように、この発明によれば、ヘッドアクチュエータに対する接続作業を容易に、かつ、確実に行うことが可能なフレキシブルプリント回路基板ユニット、ヘッドアクチュエータユニット、およびこれを備えたディスク装置を提供することができる。
【図面の簡単な説明】
【図１】この発明の実施の形態に係るＨＤＤの内部を示す斜視図。
【図２】上記ＨＤＤに設けられたヘッドアクチュエータの分解斜視図。
【図３】上記ヘッドアクチュエータの斜視図。
【図４】上記ＨＤＤのＦＰＣユニットを示す斜視図。
【図５】上記ＦＰＣユニットの補強板を示す平面図および正面図。
【図６】上記ヘッドアクチュエータとＦＰＣユニットとを接続した状態を示す側面図。
【図７】上記ヘッドアクチュエータとＦＰＣユニットとの接続部を示す平面図。
【図８】上記ヘッドアクチュエータと補強板の位置決め突起との係合状態を概略的に示す側面図。
【符号の説明】
１２ａ、１２ｂ…磁気ディスク
１４…ヘッドアクチュエータ
１６…ボイスコイルモータ
１７…ＦＰＣユニット
２４…軸受組立体
２７ａ、２７ｂ、２７ｃ、２７ｄ…アーム
２８ａ、２８ｂ、２８ｃ…スペーサリング
３２…サスペンション
３３…磁気ヘッド
４２…メインＦＰＣ
４２ａ…接続端部
５０…補強板
５６ａ、５６ｂ…位置決め突起
５８…透孔
６２…中継ＦＰＣ
６４…接続部
６６…ループプレート
６７…フック
【図１】
2004039674.tif 000003
【図２】
2004039674.tif 000004
【図３】
2004039674.tif 000005
【図４】
2004039674.tif 000006
【図５】
2004039674.tif 000007
【図６】
2004039674.tif 000008
【図７】
2004039674.tif 000009
【図８】
2004039674.tif 000010